【事件の表示】
　特願２０００−３５５３３６「遊技機」拒絶査定不服審判事件〔平成１４年　５月２８日出願公開、特開２００２−１５３６５６〕について、次のとおり審決する。
【結　論】
　本件審判の請求は、成り立たない。
【理　由】
１．手続の経緯
　本願は、平成１２年１１月２２日の出願であって、平成２３年３月１５日付けで拒絶査定され、これに対し、同年６月３日に拒絶査定不服審判の請求がなされ、同日付けで手続補正がなされ、当審において、同年９月６日付けで審査官の前置報告書に基づく審尋を行い、同年１０月１７日付けで回答書が提出された。
　さらに、当審において、平成２４年１月１３日付けで、平成２３年６月３日付けの手続補正が却下されるとともに拒絶の理由が通知され、これに対し平成２４年３月５日付けで手続補正がなされたものである。
　
２．本願発明
　平成２４年３月５日付けの手続補正により補正された特許請求の範囲の請求項１に係る発明（以下「本願発明」という。）は、その請求項１に記載された事項により特定される、次のとおりのものと認める。
「【請求項１】
　特定遊技状態を生起させるか否かを決定するための第１の抽選と、準特定遊技状態を生起させるか否かを決定するための第２の抽選と、前記特定遊技状態及び前記準特定遊技状態の内の少なくとも一方を生起させる可能性が向上された状態を生起させるか否かを決定するための第３の抽選と、を実行するとともに、前記第１の抽選の結果を表示するための第一の表示制御と、前記第２の抽選の結果を表示するための第二の表示制御と、前記第３の抽選の結果を表示するための第三の表示制御と、を実行する制御手段と、
　ランプ表示装置及び効果音発生装置を含む報知演出手段と、
　前記報知演出手段に報知演出を行わせるための報知演出制御を実行する報知制御手段と、を備えた遊技機において、
　前記制御手段は、
　前記第１の抽選の結果が前記特定遊技状態を生起させることを示すものである場合に、前記第３の抽選を実行し、
　前記第１の抽選とは異なる契機により前記第２の抽選を実行し、
　前記第３の抽選を実行した場合には、前記第一の表示制御を実行した後に、前記第三の表示制御を実行し、
　前記第一の表示制御又は前記第三の表示制御の実行中に前記第２の抽選を実行した場合には、実行中の前記第一の表示制御又は前記第三の表示制御に並行して前記第二の表示制御を実行し、
　前記第１の抽選を実行した場合、前記第一の表示制御として、数字を含んでなる図柄のスクロール変動表示を行った後に、該第１の抽選の結果に応じた態様による前記図柄の停止表示を行うとともに、該第一の表示制御に応じた報知演出の開始を指示する報知演出用コマンドを前記報知制御手段に対して送信し、
　前記第３の抽選を実行した場合、前記第三の表示制御として、該第３の抽選の結果に応じた表示パターンによるキャラクタ動画の表示を行うとともに、該第三の表示制御に応じた報知演出の開始を指示する前記報知演出用コマンドを前記報知制御手段に対して送信し、
　前記第２の抽選を実行した場合、前記第二の表示制御として、該第２の抽選の結果に応じた態様で点灯部の点灯を行い、該第二の表示制御に応じた報知演出の開始を指示する前記報知演出用コマンドの送信を行わず、
　前記報知制御手段は、
　前記制御手段が前記第一の表示制御を実行する場合には、前記第一の表示制御に応じた報知演出の開始を指示する前記報知演出用コマンドの受信に応じて、該第一の表示制御に応じた前記報知演出を行うための前記報知演出制御を実行し、
　前記制御手段が前記第三の表示制御を実行する場合には、前記第三の表示制御に応じた報知演出の開始を指示する前記報知演出用コマンドの受信に応じて、該第三の表示制御に応じた前記報知演出を行うための前記報知演出制御を実行し、
　前記制御手段が前記第二の表示制御を実行する場合には、前記報知演出用コマンドを受信せず、該第二の表示制御に応じた前記報知演出を行うための報知演出制御を実行せず、
　前記制御手段が前記第一の表示制御及び前記第三の表示制御のうち一方の表示制御と前記第二の表示制御とを並行して実行する場合には、該一方の表示制御に応じた前記報知演出を行うための報知演出制御を実行して、該第二の表示制御に応じた前記報知演出を行うための報知演出制御を実行しないことを特徴とする遊技機。」
　
３．引用文献に記載された事項
　当審における平成２４年１月１３日付けの拒絶の理由において引用例１として引用した特開平８−２２９２２３号公報（以下、「引用例１」という。）には、図面とともに、以下の事項が記載されている。なお、下線は当審で付した。
（ア）「【０００９】特別可変表示装置３０の下方には、普通可変入賞球装置５及び特別可変入賞球装置９等の各種構成部材を遊技盤１に取り付けるための取付基板４が設けられている。取付基板４の中央上端部には、図２にも示すように、
特別図柄の変動を許容する始動機能を有する普通可変入賞球装置５
（イ）「【００１２】また、前記特別可変入賞球装置９の下方には、通過玉検出器１５を備えた突出部材１６が設けられている。なお、突出部材１６の左側部には、打玉を通過玉検出器１５に通過させるための通過口１６ａが穿設されている。そして、
通過玉検出器１５は、通過玉を検出すると
普通図柄表示器３４に表示される普通図柄の変動を許容するようになっている。
【００１３】しかして、上記のように構成される特別可変入賞球装置９は、以下のように作動する。即ち、打玉が普通可変入賞球装置５に入賞して始動玉検出器８をＯＮさせると、特別可変表示装置３０が変動を開始し、一定時間が経過すると、例えば左・右・中の順で特別図柄が確定され、その確定された図柄の組み合せが所定の大当り組合せ（同一図柄のゾロ目）となったときに特定遊技状態（大当り遊技状態ともいう）となる。そして、この特定遊技状態においては、特別可変入賞球装置９の開閉板１１が所定期間（例えば、２９秒）あるいは所定個数（例えば、１０個）の入賞玉が発生するまで開放（開放サイクル）するように設定され、その開放している間遊技盤１の表面を落下する打玉を受け止めるようになっている。そして、受け止められた打玉が特定玉検出器１２をＯＮすると、再度上記した開放サイクルを繰り返し、特定玉検出器１２がＯＮする毎に継続権が成立して開放サイクルを最高１６回繰り返すことができるようになっている。
【００１４】また、遊技領域３を含む遊技盤１の表面には、上記した構成以外にも、風車ランプ２０ａを内蔵した風車２０、左右一対の報知ランプ２１ａ・２１ｂ、袖ランプ２２ａを内蔵した入賞口２２、サイドランプ２３ａを内蔵したサイドランプ飾り２３、アウト口２４、バック玉防止部材２５等が設けられている。なお、
報知ランプ２１ａ・２１ｂは、
確率変動中又は短縮変動中の旨を点灯動作により報知するようになっている。
特定遊技状態時あるいは変動時に点灯又は点滅してその旨を報知する遊技効果ランプ
が設けられると共に、効果音を発生するスピーカ２９
が設けられている。
【００１５】次に、本実施例の要部を構成する特別可変表示装置３０の構成について説明する。特別可変表示装置３０は、前記遊技盤１の表面に取り付けられる取付基板３１を有し、該取付基板３１には、長方形状の窓枠部３２が形成されている。そして、この窓枠部３２の後方には、後述する左・中・右の各特別
図柄を可変表示し得るキャラクタ画像表示部６０を有するＬＣＤ表示器３３
【００１６】また、上記
ＬＣＤ表示器３３のキャラクタ画像表示部６０に表示される左特別図柄は、
「Ｘ・０・Ｇ・３〜５・７・６・１・８・Ｒ・９・Ｆ・２・Ｐ」
の１５種類から構成され、中・右の各特別図柄は、それぞれ「Ｘ・０・２〜９・Ｆ・１・Ｇ・Ｐ・Ｒ」
の１５種類から構成され
【００１７】以上、
特別可変表示装置３０を含むパチンコ遊技機の遊技盤１
の遊技装置は
遊技制御回路によって制御され
【００１８】一方、
基本回路４２から
特別可変表示装置３０（ＬＣＤ制御回路８０及びＬＣＤ表示器３３）
ＬＥＤ回路４８を介して普通図柄表示器３４
に表示駆動信号が与えられ、
音声合成回路５１及び音量増幅回路５２を介してスピーカ２９に音声信号が与えられる。
ランプ回路５０からは各種のランプ制御データが出力されることで、
ランプを表示制御するように
（引用例１では「基本回路４０」と「基本回路４２」の記載が混在しているが、段落【００１５】等に「飾りＬＥＤ４０」という記載があること等から、当審では段落【００１５】、【００１８】の「基本回路４０」は「基本回路４２」の誤記と認定した。）
（ウ）「【００２０】次に、前記ＬＣＤ制御回路８０の回路構成について説明する。ＬＣＤ制御回路８０は、図１０に示すように、ＣＰＵ８１ａを備えた入力ポート８１と、ＶＤＰ（Video Display Processor）８２と、制御ＲＯＭ８３と、ワークＲＡＭ８４と、ＶＲＡＭ８５と、キャラクタＲＯＭ８６と、発振回路８７と、リセット回路８８と、から構成されている。入力ポート８１内のＣＰＵ８１ａは、
ＬＣＤ回路４７から
ＬＣＤ表示器３３に表示する画像データを生成するため
【００２１】また、前記
基本回路４２からＬＣＤ回路４７を介して
コマンドデータ１〜９
ＬＣＤ制御回路８０内のＣＰＵ８１ａに送信される。
（エ）「【００２９】次に、前記特別可変表示装置３０による特別図柄の変動動作について図２２乃至図３２に示すタイムチャート及び説明図等を参照して説明する。まず、特別可変表示装置３０の変動動作に用いられるランダム数について説明する。特別可変表示装置３０では、図２２に示すような６種類のランダム数が使用されており、これらのランダム数は、
大当り決定用のＷＣＲＮＤ１
【００３０】そして、図２３に示すように、
ＷＣＲＮＤ１から抽出された値が「３」であり大当りと判定されると
大当り図柄が特別可変表示装置３０のＬＣＤ表示器３３に表示され
ＷＣＲＮＤ１で「３」以外の値が抽出されて外れと判定されると、
外れ図柄として特別可変表示装置３０のＬＣＤ表示器３３に表示され
【００３１】また、上記した
ＷＣＲＮＤ１の抽出後は、
確変決定用のＷＣＲＮＤ＿Ｋの抽出を行う。
ＷＣＲＮＤ＿Ｋの抽出値が「０」のときは確定図柄を赤色に変え、抽出値が「１」のときは確定図柄を青色に変え、抽出値が「２」のときは確定図柄を緑色に変え
赤色表示されると確率変動が行われ
大当りの場合にのみ確変決定用のＷＣＲＮＤ＿Ｋの抽出を行う構成としてもよい。
（当審では、段落【００３１】の「確変決定用のＷＣＲＮＤＫの」は「確変決定用のＷＣＲＮＤ＿Ｋの」の誤記と認定した。）
（オ）「【００３３】先ず、特別可変表示装置３０の変動動作において、リーチせずに外れ又はリーチして外れる場合の図柄列の変動を図２９及び図３０のタイムチャートに基づいて説明する。図２９において、
普通可変入賞球装置５に打玉が入賞し始動玉検出器８が始動信号を導出すると、
ＷＣＲＮＤ１
数値を抽出し
左・中・右の全図柄列を
変動させる。
（カ）「【００４１】また、上記したリーチ変動後に、図３７（Ａ）に示すように、
左・中・右の各確定図柄６２ｂ・６３ｂ・６４ｂが同一図柄（大当り図柄）となると、
確率変動判定用の図柄構成に切り換わり、確率変動を行うか否かのサブゲームが実行され
赤・青・緑の各レーシングカー７６ａ〜７６ｃ
表示画面上で各レーシングカー７６ａ〜７６ｃによるレースが行われ、最初にゴールしたレーシングカーの色に応じて大当り図柄６７の色調が変更され
レーシングカー７６ａが最初にゴールして大当り図柄６７が赤色に変更された場合に確率変動が決定される。
（キ）「【００４８】次に、前記普通図柄表示器３４に表示される普通図柄について説明する。普通図柄は、図４４に示すように、「０・２・４・６・８・Ｆ」の６種類であり、１図柄の表示時間を０．０４０秒とした１周期（０．２４０秒）で変動表示される。また、これらの普通図柄に対しては、図４５に示すように、０．００２秒毎に１ずつ加算される
当り決定用のＷＣＲＮＤ２
ＷＣＲＮＤ２
から
「３」の値が抽出されて当りと判定されると、普通図柄表示器３４に
当り図柄を表示して普通可変入賞球装置５を所定時間開放（入賞口の拡大）する。一方、
「３」以外の値が抽出されて外れと判定されると、
外れ図柄を普通図柄表示器３４に表示
（ク）「【００５５】また、上記
普通図柄の短縮変動
短縮変動の報知は、
音で行ってもよく、
（ケ）【００１７】の記載を考慮すると、図６，７には、
特別可変表示装置３０を含むパチンコ遊技機の遊技盤１の遊技装置は、基本回路４２によって制御され
（コ）【００１８】の記載を考慮すると、図６には、
基本回路４２からランプ回路５０に制御信号が与えられ、ランプ回路５０からは各種のランプ制御データが出力されることで、ランプを表示制御するようにし
基本回路４２から音声合成回路５１に制御信号が与えられ、音声合成回路５１及び音量増幅回路５２を介してスピーカ２９に音声信号が与えられるようにし
　
　以上、上記（ア）ないし（コ）の記載及び図面の記載を総合すると、引用例１には、以下の発明が開示されていると認めることができる（以下、この発明を「引用発明」という。）。
「ＬＣＤ表示器３３のキャラクタ画像表示部６０に表示される左特別図柄は、「Ｘ・０・Ｇ・３〜５・７・６・１・８・Ｒ・９・Ｆ・２・Ｐ」の１５種類から構成され、中・右の各特別図柄は、それぞれ「Ｘ・０・２〜９・Ｆ・１・Ｇ・Ｐ・Ｒ」の１５種類から構成され、
　特別図柄の変動を許容する始動機能を有する普通可変入賞球装置５に打玉が入賞し始動玉検出器８が始動信号を導出すると、大当り決定用のＷＣＲＮＤ１から値を抽出し、左・中・右の全図柄列を変動させ、大当り決定用のＷＣＲＮＤ１から抽出された値が「３」であり大当りと判定されると、大当り図柄が特別可変表示装置３０を構成するＬＣＤ表示器３３のキャラクタ画像表示部６０に表示され、ＷＣＲＮＤ１で「３」以外の値が抽出されて外れと判定されると、外れ図柄が特別可変表示装置３０を構成するＬＣＤ表示器３３のキャラクタ画像表示部６０に表示されるものであり、
　大当り決定用のＷＣＲＮＤ１の抽出後、大当りの場合にのみ確変決定用のＷＣＲＮＤ＿Ｋの抽出を行い、確変決定用のＷＣＲＮＤ＿Ｋの抽出値が「０」のときは確定図柄を赤色に変え、抽出値が「１」のときは確定図柄を青色に変え、抽出値が「２」のときは確定図柄を緑色に変えるものであり、
　左・中・右の各確定図柄６２ｂ・６３ｂ・６４ｂが同一図柄（大当り図柄）となると、確率変動判定用の図柄構成に切り換わり、確率変動を行うか否かのサブゲームが実行され、表示画面上で赤・青・緑の各レーシングカー７６ａ〜７６ｃによるレースが行われ、最初にゴールしたレーシングカーの色に応じて大当り図柄６７の色調が変更され、赤のレーシングカー７６ａが最初にゴールして大当り図柄６７が赤色に変更された場合に確率変動が決定されるものであり、
　通過玉検出器１５は、通過玉を検出すると普通図柄表示器３４に表示される普通図柄の変動を許容するようになっており、当り決定用のＷＣＲＮＤ２から「３」の値が抽出されて当りと判定されると普通図柄表示器３４に当り図柄を表示して普通可変入賞球装置５を所定時間開放する一方、「３」以外の値が抽出されて外れと判定されると外れ図柄を普通図柄表示器３４に表示し、
　特別可変表示装置３０を含むパチンコ遊技機の遊技盤１の遊技装置は、基本回路４２によって制御されており、
　基本回路４２からＬＣＤ回路４７を介してＬＣＤ表示器３３に表示する画像データを生成するための表示制御信号であるコマンドデータ１〜９がＬＣＤ制御回路８０内のＣＰＵ８１ａに送信され、
　基本回路４２からＬＥＤ回路４８を介して普通図柄表示器３４に表示駆動信号が与えられ、
　基本回路４２からランプ回路５０に制御信号が与えられ、ランプ回路５０からは各種のランプ制御データが出力されることで、ランプを表示制御するようにし、基本回路４２から音声合成回路５１に制御信号が与えられ、音声合成回路５１及び音量増幅回路５２を介してスピーカ２９に音声信号が与えられるようにし、
　確率変動中又は普通図柄の短縮変動中の旨を点灯動作により報知するようになっている報知ランプ２１ａ・２１ｂ、特定遊技状態時あるいは変動時に点灯又は点滅してその旨を報知する遊技効果ランプが設けられると共に、効果音を発生するスピーカ２９が設けられ、短縮変動の報知は音でも行っている、パチンコ遊技機。」
　
４．対比
引用発明の「大当り」は本願発明の「特定遊技状態」に相当する。以下同様に、
「大当り決定用のＷＣＲＮＤ１から値を抽出」は「第１の抽選」に、
「当り」は「準特定遊技状態」に、
「当り決定用のＷＣＲＮＤ２から」「値が抽出」は「第２の抽選」に、
「確変決定用のＷＣＲＮＤ＿Ｋの抽出」は「第３の抽選」に、
「基本回路４２」は「制御手段」に、
「報知ランプ２１ａ・２１ｂ」、「遊技効果ランプ」は「ランプ表示装置」に、
「スピーカ２９」は「効果音発生装置」に、
「各レーシングカー７６ａ〜７６ｃによるレース」は「キャラクタ動画」に、それぞれ相当する。
　
　さらに、引用例１の記載等からみて、以下のことがいえる。
ａ．引用発明の特別可変表示装置３０を含むパチンコ遊技機の遊技盤１の遊技装置は、基本回路４２によって制御されており、
　特別図柄の変動を許容する始動機能を有する普通可変入賞球装置５に打玉が入賞し始動玉検出器８が始動信号を導出すると、大当り決定用のＷＣＲＮＤ１から値を抽出し、左・中・右の全図柄列を変動させ、大当り決定用のＷＣＲＮＤ１から抽出された値が「３」であり大当りと判定されると、大当り図柄が特別可変表示装置３０のＬＣＤ表示器３３のキャラクタ画像表示部６０に表示され、ＷＣＲＮＤ１で「３」以外の値が抽出されて外れと判定されると、外れ図柄が特別可変表示装置３０のＬＣＤ表示器３３のキャラクタ画像表示部６０に表示されるものであり、
　基本回路４２からＬＣＤ回路４７を介してＬＣＤ表示器３３に表示する画像データを生成するための表示制御信号であるコマンドデータ１〜９がＬＣＤ制御回路８０内のＣＰＵ８１ａに送信されるものであるから、
　引用発明のパチンコ遊技機は、本願発明の「特定遊技状態を生起させるか否かを決定するための第１の抽選」「を実行するとともに、」「前記第１の抽選の結果を表示するための第一の表示制御」「を実行する制御手段」に相当する構成を実質的に具備しているといえるとともに、
　ＬＣＤ表示器３３のキャラクタ画像表示部６０に表示される左特別図柄は、「Ｘ・０・Ｇ・３〜５・７・６・１・８・Ｒ・９・Ｆ・２・Ｐ」の１５種類から構成され、中・右の各特別図柄は、それぞれ「Ｘ・０・２〜９・Ｆ・１・Ｇ・Ｐ・Ｒ」の１５種類から構成されているから、
　引用発明のパチンコ遊技機は、本願発明と「前記第１の抽選を実行した場合、前記第一の表示制御として、数字を含んでなる図柄の変動表示を行った後に、該第１の抽選の結果に応じた態様による前記図柄の停止表示を行う」に相当する構成を実質的に具備している点で共通しているといえる。
　
ｂ．引用発明の特別可変表示装置３０を含むパチンコ遊技機の遊技盤１の遊技装置は、基本回路４２によって制御されており、
　大当り決定用のＷＣＲＮＤ１の抽出後、大当りの場合にのみ確変決定用のＷＣＲＮＤ＿Ｋの抽出を行い、確変決定用のＷＣＲＮＤ＿Ｋの抽出値が「０」のときは確定図柄を赤色に変え、抽出値が「１」のときは確定図柄を青色に変え、抽出値が「２」のときは確定図柄を緑色に変えるものであり、
　左・中・右の各確定図柄６２ｂ・６３ｂ・６４ｂが同一図柄（大当り図柄）となると、確率変動判定用の図柄構成に切り換わり、確率変動を行うか否かのサブゲームが実行され、表示画面上で赤・青・緑の各レーシングカー７６ａ〜７６ｃによるレースが行われ、最初にゴールしたレーシングカーの色に応じて大当り図柄６７の色調が変更され、赤のレーシングカー７６ａが最初にゴールして大当り図柄６７が赤色に変更された場合に確率変動が決定されるものであり、
　基本回路４２からＬＣＤ回路４７を介してＬＣＤ表示器３３に表示する画像データを生成するための表示制御信号であるコマンドデータ１〜９がＬＣＤ制御回路８０内のＣＰＵ８１ａに送信されるものであるから、
　引用発明のパチンコ遊技機は、本願発明の「前記特定遊技状態及び前記準特定遊技状態の内の少なくとも一方を生起させる可能性が向上された状態を生起させるか否かを決定するための第３の抽選」「を実行するとともに、」「前記第３の抽選の結果を表示するための第三の表示制御」「を実行する制御手段」に相当する構成を実質的に具備しているといえるとともに、
　本願発明の「前記制御手段は、前記第１の抽選の結果が前記特定遊技状態を生起させることを示すものである場合に、前記第３の抽選を実行し、」「前記第３の抽選を実行した場合には、前記第一の表示制御を実行した後に、前記第三の表示制御を実行」するに相当する構成も実質的に具備しているといえ、
　本願発明と「前記第３の抽選を実行した場合、前記第三の表示制御として、該第３の抽選の結果に応じた表示パターンによるキャラクタ動画の表示を行う」に相当する構成を実質的に具備している点で共通しているといえる。
　また、普通図柄の変動を許容する通過玉検出器１５は、特別図柄の変動を許容する普通可変入賞球装置５と異なる装置であるから、
　引用発明のパチンコ遊技機は、本願発明の「前記第１の抽選とは異なる契機により前記第２の抽選を実行」するに相当する構成を実質的に具備しているといえる。
　
ｃ．引用発明の特別可変表示装置３０を含むパチンコ遊技機の遊技盤１の遊技装置は、基本回路４２によって制御されるものであり、
　通過玉検出器１５は、通過玉を検出すると普通図柄表示器３４に表示される普通図柄の変動を許容するようになっており、当り決定用のＷＣＲＮＤ２から「３」の値が抽出されて当りと判定されると普通図柄表示器３４に当り図柄を表示して普通可変入賞球装置５を所定時間開放する一方、「３」以外の値が抽出されて外れと判定されると外れ図柄を普通図柄表示器３４に表示するものであり、
　基本回路４２からＬＥＤ回路４８を介して普通図柄表示器３４に表示駆動信号が与えられるものであるから、
　引用発明のパチンコ遊技機は、本願発明の「準特定遊技状態を生起させるか否かを決定するための第２の抽選」「を実行するとともに、」「前記第２の抽選の結果を表示するための第二の表示制御」「を実行する制御手段」に相当する構成を実質的に具備しているといえるとともに、
　本願発明と「前記制御手段は、」「前記第２の抽選を実行した場合には、」「前記第二の表示制御を実行」する点、「前記制御手段は、」「前記第２の抽選を実行した場合、前記第二の表示制御として、該第２の抽選の結果に応じた態様で」表示を行う点、で共通しているといえる。
　
ｄ．引用発明のパチンコ遊技機は、基本回路４２からランプ回路５０に制御信号が与えられ、ランプ回路５０からは各種のランプ制御データが出力されることで、ランプを表示制御するようにし、基本回路４２から音声合成回路５１に制御信号が与えられ、音声合成回路５１及び音量増幅回路５２を介してスピーカ２９に音声信号が与えられるようにし、確率変動中又は短縮変動中の旨を点灯動作により報知するようになっている報知ランプ２１ａ・２１ｂ、特定遊技状態時あるいは変動時に点灯又は点滅してその旨を報知する遊技効果ランプが設けられると共に、効果音を発生するスピーカ２９が設けられ、短縮変動の報知は音でも行っているから、
　引用発明のパチンコ遊技機は、本願発明の「ランプ表示装置及び効果音発生装置を含む報知演出手段」、「前記報知演出手段に報知演出を行わせるための報知演出制御を実行する報知制御手段」に相当する構成を実質的に具備しているといえる。
　
　以上のことから、両者は、
＜一致点＞
「特定遊技状態を生起させるか否かを決定するための第１の抽選と、準特定遊技状態を生起させるか否かを決定するための第２の抽選と、前記特定遊技状態及び前記準特定遊技状態の内の少なくとも一方を生起させる可能性が向上された状態を生起させるか否かを決定するための第３の抽選と、を実行するとともに、
　前記第１の抽選の結果を表示するための第一の表示制御と、前記第２の抽選の結果を表示するための第二の表示制御と、前記第３の抽選の結果を表示するための第三の表示制御と、を実行する制御手段と、
　ランプ表示装置及び効果音発生装置を含む報知演出手段と、
　前記報知演出手段に報知演出を行わせるための報知演出制御を実行する報知制御手段と、を備えた遊技機において、
　前記制御手段は、
　前記第１の抽選の結果が前記特定遊技状態を生起させることを示すものである場合に、前記第３の抽選を実行し、
　前記第１の抽選とは異なる契機により前記第２の抽選を実行し、
　前記第３の抽選を実行した場合には、前記第一の表示制御を実行した後に、前記第三の表示制御を実行し、
　前記第１の抽選を実行した場合、前記第一の表示制御として、数字を含んでなる図柄の変動表示を行った後に、該第１の抽選の結果に応じた態様による前記図柄の停止表示を行い、
　前記第３の抽選を実行した場合、前記第三の表示制御として、該第３の抽選の結果に応じた表示パターンによるキャラクタ動画の表示を行い、
　前記第２の抽選を実行した場合、前記第二の表示制御として、該第２の抽選の結果に応じた態様で表示を行う遊技機。」
である点で一致し、以下の点で相違している。
　
＜相違点１＞
　本願発明は、「前記第一の表示制御又は前記第三の表示制御の実行中に前記第２の抽選を実行した場合には、実行中の前記第一の表示制御又は前記第三の表示制御に並行して前記第二の表示制御を実行」するのに対して、
　引用発明は、通過玉検出器１５が通過玉を検出することにより普通図柄の変動が許容され、当り決定用のＷＣＲＮＤ２から「３」の値が抽出されると当り図柄を、「３」以外の値が抽出されると外れ図柄を、普通図柄表示器３４に表示するものであるが、
　特別図柄の変動表示中、及び、確率変動を行うか否かのサブゲーム実行中に、普通図柄の当り決定用のＷＣＲＮＤ２からの値を抽出し、普通図柄の変動表示を行うことは明記がない点。
　
＜相違点２＞
　第一の表示制御として
　本願発明は、「図柄のスクロール変動表示を行」うのに対して、
　引用発明は、スクロール表示を行うか否か不明である点。
　
＜相違点３＞
　第二の表示制御として
　本願発明は、「該第２の抽選の結果に応じた態様で点灯部の点灯を行」うのに対して、
　引用発明は、点灯部がないため、このような表示を行わない点。
　
＜相違点４＞
　本願発明は、「前記制御手段は、」「前記第１の抽選を実行した場合、」「該第一の表示制御に応じた報知演出の開始を指示する報知演出用コマンドを前記報知制御手段に対して送信し、
　前記第３の抽選を実行した場合、」「該第三の表示制御に応じた報知演出の開始を指示する前記報知演出用コマンドを前記報知制御手段に対して送信し、
　前記第２の抽選を実行した場合、」「該第二の表示制御に応じた報知演出の開始を指示する前記報知演出用コマンドの送信を行わ」ないのに対して、
　引用発明は、このような構成でない点。
　
＜相違点５＞
　本願発明は「前記報知制御手段は、
　前記制御手段が前記第一の表示制御を実行する場合には、前記第一の表示制御に応じた報知演出の開始を指示する前記報知演出用コマンドの受信に応じて、該第一の表示制御に応じた前記報知演出を行うための前記報知演出制御を実行し、
　前記制御手段が前記第三の表示制御を実行する場合には、前記第三の表示制御に応じた報知演出の開始を指示する前記報知演出用コマンドの受信に応じて、該第三の表示制御に応じた前記報知演出を行うための前記報知演出制御を実行し、
　前記制御手段が前記第二の表示制御を実行する場合には、前記報知演出用コマンドを受信せず、該第二の表示制御に応じた前記報知演出を行うための報知演出制御を実行せず、
　前記制御手段が前記第一の表示制御及び前記第三の表示制御のうち一方の表示制御と前記第二の表示制御とを並行して実行する場合には、該一方の表示制御に応じた前記報知演出を行うための報知演出制御を実行して、該第二の表示制御に応じた前記報知演出を行うための報知演出制御を実行しない」のに対して、
　引用発明は、このような構成でない点。
　
５．判断
＜相違点１＞について　
　引用発明の普通図柄は、通過玉検出器１５が通過玉を検出することにより普通図柄の変動が許容され、当り決定用のＷＣＲＮＤ２の値が抽出されることにより普通図柄の変動表示が行われるものであるから、
　普通図柄は、通過玉検出器１５が通過玉を検出すれば、特別図柄が変動表示中であるかないか、確率変動を行うか否かのサブゲーム実行中であるかないかに関わらず、いつでも当り決定用のＷＣＲＮＤ２の値が抽出されるとともに普通図柄の変動表示が行われるものであるといえる。
　以上のことから、引用発明は、特別図柄の変動表示中、及び、確率変動を行うか否かのサブゲーム実行中に、普通図柄の当り決定用のＷＣＲＮＤ２からの値を抽出した場合、普通図柄の変動表示を行うという上記相違点１に係る本願発明の構成を有しているといえる。
　
　また、たとえ引用発明が上記相違点１に係る本願発明の構成を有していないとしても、本願発明の普通図柄と特別図柄は異なる契機により抽選、及び、変動表示を行うものであり、引用発明の普通図柄の当り決定用のＷＣＲＮＤ２の値抽出、及び、変動表示を、特別図柄が変動表示中、及び、確率変動を行うか否かのサブゲーム実行中に行わない特別な理由は存在しないから、
　引用発明の、特別図柄の変動表示中、又は、確率変動を行うか否かのサブゲーム実行中において、普通図柄の当り決定用のＷＣＲＮＤ２からの値を抽出して普通図柄の変動表示が行われるようにして、上記相違点１に係る本願発明の構成とすることは、当業者が容易に成し得たことである。
　
＜相違点２＞について
　第１の抽選結果の表示を行う特別図柄の変動表示時に図柄のスクロール変動を行うことは、当審で通知した平成２４年１月１３日付け拒絶理由通知において引用例３として引用した特開平１０−４３４１６号公報（段落【００１３】等参照）、特開２０００−１５７６６４号公報（段落【００２２】等参照）にも記載されているように周知（以下「周知技術１」という。）であるから、
　引用発明の第一の表示制御を行う特別図柄の変動表示において、上記周知技術１に基づいて図柄のスクロール変動を行うようにして上記相違点２に係る本願発明の構成とすることは、当業者が容易に成し得たことである。
　
＜相違点３＞について
　第２の抽選結果の表示を行う普通図柄の表示部を、第２の抽選の結果に応じた態様で点灯部の点灯を行うようにすることは、特開平１１−１６９５２１号公報（段落【００１２】、図２等参照）、特開２０００−２２９１５１号公報（段落【００３４】、図１等参照）、特開２０００−３７５２１号公報（段落【０００８】、図１，３等参照）、にも記載されているように周知（以下「周知技術２」という。）であるから、
　引用発明の第一の表示制御を行う普通図柄の変動表示において、上記周知技術２に基づいて第２の抽選の結果に応じた態様で点灯部の点灯を行うようにして上記相違点３に係る本願発明の構成とすることは、当業者が容易に成し得たことである。
　
＜相違点４＞及び＜相違点５＞について
　「前記第一の表示制御又は前記第三の表示制御の実行中に」「並行して前記第二の表示制御を実行」する点、第一の表示制御として「図柄のスクロール変動表示を行」う点、及び、第二の表示制御として「第２の抽選の結果に応じた態様で点灯部の点灯を行」う点、については、上記相違点１、上記相違点２、及び、相違点３で既に検討している。
　当審で通知した平成２４年１月１３日付け拒絶理由通知において引用例４として引用した特開２０００−２４５９０１号公報（段落【０００２】、【００１１】、【００２１】、【００２３】、【００２５】〜【００２７】、【００４２】、【００４４】〜【００４６】、【００５２】、【００７０】、図１，２等参照）には、第２制御装置２５が特別図柄表示器４での図柄の表示制御に応じた報知演出の開始を指示するコマンドをスピーカ基板２６、ランプ基板２７に送信し、スピーカ基板２６、ランプ基板２７は特別図柄表示器４での図柄の表示制御に応じた報知演出の開始を指示するコマンドの受信に応じて、表示制御に応じた報知演出を行うための報知演出制御を実行する点、報知演出を行わないときは、コマンドの送信を行わないようにして、音や光を出さないようにする点が記載されている。
　また、パチンコ遊技機において、ランプ等で特別図柄の大当り報知、確変報知を行うことは、当審で通知した平成２４年１月１３日付け拒絶理由通知において引用例２として引用された特開平１０−１１８２９８号公報（段落【００６３】、【００６０】等参照）、引用例３（段落【００２２】〜【００２７】、【００２９】、図１，４，８等参照。）にも記載されているように周知（以下「周知技術３」という。）であり、
　特別図柄と普通図柄の表示制御を行うパチンコ遊技機において、ランプとスピーカで特別図柄の大当り報知等の報知を行うことは、引用例２（段落【００６３】、【００６０】、【００５３】等参照。）、引用例５（段落【００１７】、【００２２】、【００２６】〜【００２７】、【００４０】、【００４６】、【００６５】、【００７４】〜【００７５】、【０１２７】、【０１２９】、図１，３，７，１７等参照。）にも記載されているように周知（以下「周知技術４」という。）であり、
　特別図柄の表示結果が大当りか外れか、確率変動を行うか否かということは、賞球を大量に獲得できるかどうかという遊技者が最も関心のあることであるが、普通図柄の表示結果が当りか外れかということは、賞球を大量に獲得できるかどうかということと直接関係がないので、遊技者があまり関心を持たないことであるということは、パチンコ分野の技術常識であるから、
　引用発明に、引用例４に記載された第２制御装置２５が特別図柄表示器４での図柄の表示制御に応じた報知演出の開始を指示するコマンドをスピーカ基板２６、ランプ基板２７に送信し、スピーカ基板２６、ランプ基板２７は特別図柄表示器４での図柄の表示制御に応じた報知演出の開始を指示するコマンドの受信に応じて、表示制御に応じた報知演出を行うための報知演出制御を実行する発明を適用するとき、遊技者が最も関心のある、特別図柄の表示結果が大当りか外れか、確率変動を行うか否かという表示を行うＬＣＤ表示器３３については、表示制御に応じた報知演出を行うためのコマンドを送信するようにし、遊技者があまり関心のない、普通図柄の表示結果が当りか外れかという表示を行う普通図柄表示器３４については、表示制御に応じた報知演出を行わないようにコマンドを送信しないようにして、上記相違点４及び上記相違点５に係る本願発明の構成とすることは、当業者が容易に成し得たことである。
　
　そして、本願発明の効果は、引用発明、引用例４に記載された発明及び上記周知技術１〜４から当業者が予測できる範囲のものである。
　
　以上のとおりであるから、本願発明は、引用発明、引用例４に記載された発明及び上記周知技術１〜４に基づいて当業者が容易に発明をすることができたものであり、特許法第２９条第２項の規定により特許を受けることができない。
　
　よって、結論のとおり審決する。